(57)【要約】【課題】印刷するバーコードの読取精度の低下を抑えることができるインクジェット印刷装置を提供する。【解決手段】インクジェット印刷装置１は、シアン、マゼンタ、イエロー、およびブラックのインクをインクジェットヘッド２１Ｃ，２１Ｍ，２１Ｙ，２１Ｋから吐出して用紙Ｐに印刷する印刷部３と、印刷部３を制御する制御部４とを備え、制御部４は、画像データにおける黒のバーコード画像を印刷する際、シアン、マゼンタ、およびイエローのインクによりバーコード画像を印刷し、バーコード画像における複数画素幅のバーの幅方向における一方の端の各画素、および１画素幅のバーの各画素に対してはイエローのインクの吐出を省略するよう印刷部３を制御する。【選択図】図１
2018069603.tif 000002
【特許請求の範囲】
【請求項１】
シアン、マゼンタ、イエロー、およびブラックのインクをインクジェットヘッドから吐出して印刷媒体に印刷する印刷部と、
前記印刷部を制御する制御部とを備え、
前記制御部は、
画像データにおける黒のバーコード画像を印刷する際、シアン、マゼンタ、およびイエローのインクによりバーコード画像を印刷し、
バーコード画像における複数画素幅のバーの幅方向における一方の端の各画素、および１画素幅のバーの各画素に対してはイエローのインクの吐出を省略するよう前記印刷部を制御することを特徴とするインクジェット印刷装置。
【請求項２】
シアン、マゼンタ、イエロー、およびブラックのインクをインクジェットヘッドから吐出して印刷媒体に印刷する印刷部と、
前記印刷部を制御する制御部とを備え、
前記制御部は、画像データにおける黒のバーコード画像を印刷する際、バーコード画像をシアンのインクとマゼンタのインクとによって印刷するよう前記印刷部を制御することを特徴とするインクジェット印刷装置。
【発明の詳細な説明】
【技術分野】
【０００１】
本発明は、インクジェットヘッドから印刷媒体にインクを吐出して印刷を行うインクジェット印刷装置に関する。
【背景技術】
【０００２】
インクジェット印刷装置において、バーコードを印刷することがある（例えば、特許文献１参照）。
【０００３】
シアン（Ｃ）、マゼンタ（Ｍ）、イエロー（Ｙ）、およびブラック（Ｋ）のインクを用いてフルカラー印刷可能なインクジェット印刷装置において、黒のバーコードを印刷する場合、一般に、ブラックインクのみで印刷される。
【０００４】
しかし、ブラックインクのみでバーコードを印刷する場合、ブラックインクを吐出するインクジェットヘッドにおける不吐出等の吐出不良が発生することにより、バーコードの印刷画質が低下することがある。これにより、バーコードの読取精度が低下するおそれがある。
【０００５】
これに対し、シアン、マゼンタ、イエロー、およびブラックのインクを重ねて黒のバーコードを印刷するようにすれば、例えばブラックインクの不吐出等が発生しても、他の色のインク吐出が正常であれば、バーコードの読取精度の低下を抑えることが可能になる。
【先行技術文献】
【特許文献】
【０００６】
【特許文献１】特許第３３２１３６７号公報
【発明の概要】
【発明が解決しようとする課題】
【０００７】
しかしながら、シアン、マゼンタ、イエロー、およびブラックのインクでバーコードを印刷すると、インクの吐出量が多くなることでインクのにじみが大きくなり、バーコードのバーが太ることがある。特に、インクが油性インクの場合、にじみが大きくなりやすく、バーが太りやすい。インクのにじみによりバーが太ると、バーコードの読取精度が低下するおそれがある。
【０００８】
本発明は上記に鑑みてなされたもので、印刷するバーコードの読取精度の低下を抑えることができるインクジェット印刷装置を提供することを目的とする。
【課題を解決するための手段】
【０００９】
上記目的を達成するため、本発明に係るインクジェット印刷装置の第１の特徴は、シアン、マゼンタ、イエロー、およびブラックのインクをインクジェットヘッドから吐出して印刷媒体に印刷する印刷部と、前記印刷部を制御する制御部とを備え、前記制御部は、画像データにおける黒のバーコード画像を印刷する際、シアン、マゼンタ、およびイエローのインクによりバーコード画像を印刷し、バーコード画像における複数画素幅のバーの幅方向における一方の端の各画素、および１画素幅のバーの各画素に対してはイエローのインクの吐出を省略するよう前記印刷部を制御することにある。
【００１０】
本発明に係るインクジェット印刷装置の第２の特徴は、シアン、マゼンタ、イエロー、およびブラックのインクをインクジェットヘッドから吐出して印刷媒体に印刷する印刷部と、前記印刷部を制御する制御部とを備え、前記制御部は、画像データにおける黒のバーコード画像を印刷する際、バーコード画像をマゼンタのインクとシアンのインクとによって印刷するよう前記印刷部を制御することにある。
【発明の効果】
【００１１】
本発明に係るインクジェット印刷装置の第１の特徴によれば、制御部は、画像データにおける黒のバーコード画像を印刷する際、シアン、マゼンタ、およびイエローのインクによりバーコード画像を印刷し、バーコード画像における複数画素幅のバーの幅方向における一方の端の各画素、および１画素幅のバーの各画素に対してはイエローのインクの吐出を省略するよう印刷部を制御する。これにより、バーコード画像の各画素に対して、少なくともシアンインクおよびマゼンタインクを吐出するよう制御されるので、いずれかの色のインクの不吐出等の吐出不良が発生しても、印刷されるバーコードの読取精度の低下を抑えることが可能である。また、複数画素幅のバーの幅方向における一方の端の各画素、および１画素幅のバーの各画素に対してはイエローのインクが吐出されないことで、インクの滲みによるバーの太りが抑えられる。このため、バーの太りによるバーコードの読取精度の低下を抑えることができる。したがって、本発明に係るインクジェット印刷装置の第１の特徴によれば、印刷するバーコードの読取精度の低下を抑えることができる。
【００１２】
本発明に係るインクジェット印刷装置の第２の特徴によれば、制御部は、画像データにおける黒のバーコード画像を印刷する際、バーコード画像をマゼンタのインクとシアンのインクとによって印刷するよう印刷部を制御する。これにより、マゼンタインクとシアンインクとによる、黒のバーコードを読み取るためのバーコードリーダで読取可能なバーコードが印刷される。そして、シアンインクまたはマゼンタインクの吐出不良により、いずれか一方が吐出されなくても、他方が吐出されれば、印刷されるバーコードの読取精度の低下を抑えることが可能である。また、バーコード画像の印刷のために吐出されるインクがシアンインクおよびマゼンタインクのみであるため、インクの滲みによるバーの太りは抑えられる。このため、バーの太りによるバーコードの読取精度の低下を抑えることができる。したがって、本発明に係るインクジェット印刷装置の第２の特徴によれば、印刷するバーコードの読取精度の低下を抑えることができる。
【図面の簡単な説明】
【００１３】
【図１】実施の形態に係るインクジェット印刷装置の概略構成図である。
【図２】図１に示すインクジェット印刷装置の制御ブロック図である。
【図３】図１に示すインクジェット印刷装置において黒のバーコード画像を含む画像データに基づく印刷を行う際の動作を説明するためのフローチャートである。
【図４】図１に示すインクジェット印刷装置により印刷されたバーコード画像のドットイメージを示す図である。
【図５】比較例における印刷されたバーコード画像のドットイメージを示す図である。
【発明を実施するための形態】
【００１４】
以下、本発明の実施の形態について、図面を参照して説明する。各図面を通じて同一もしくは同等の部位や構成要素には、同一もしくは同等の符号を付している。
【００１５】
以下に示す実施の形態は、この発明の技術的思想を具体化するための装置等を例示するものであって、この発明の技術的思想は、各構成部品の材質、形状、構造、配置等を下記のものに特定するものでない。この発明の技術的思想は、特許請求の範囲において、種々の変更を加えることができる。
【００１６】
図１は、本発明の実施の形態に係るインクジェット印刷装置の概略構成図である。図２は、図１に示すインクジェット印刷装置の制御ブロック図である。以下の説明において、特に言及しない限り、図１における紙面の上下左右を上下左右方向とする。また、図１の紙面に直交する方向を前後方向とする。
【００１７】
図１、図２に示すように、本実施の形態に係るインクジェット印刷装置１は、搬送部２と、印刷部３と、制御部４とを備える。
【００１８】
搬送部２は、図示しない給紙部から給紙された印刷媒体である用紙Ｐを搬送する。図１の左から右に向かう方向が、用紙Ｐの搬送方向である。搬送部２は、搬送ベルト１１と、駆動ローラ１２と、従動ローラ１３，１４，１５とを備える。
【００１９】
搬送ベルト１１は、用紙Ｐを吸着保持して搬送する。搬送ベルト１１は、駆動ローラ１２および従動ローラ１３〜１５に掛け渡される環状のベルトである。搬送ベルト１１には、用紙Ｐを吸着保持するためのベルト穴が多数形成されている。搬送ベルト１１は、ファン（図示せず）の駆動によりベルト穴に発生する吸着力により、上面に用紙Ｐを吸着保持する。搬送ベルト１１は、図２における時計回り方向に回転することで、吸着保持した用紙Ｐを図１の左から右に向かう方向に搬送する。
【００２０】
駆動ローラ１２は、搬送ベルト１１を回転させる。駆動ローラ１２は、図示しないモータにより駆動される。
【００２１】
従動ローラ１３〜１５は、駆動ローラ１２とともに搬送ベルト１１を支持する。従動ローラ１３〜１５は、搬送ベルト１１を介して駆動ローラ１２に従動する。従動ローラ１３は、駆動ローラ１２と同じ高さで、駆動ローラ１２の左方に配置されている。従動ローラ１４，１５は、駆動ローラ１２および従動ローラ１３の下方において、互いに左右方向に離間して、同じ高さに配置されている。
【００２２】
印刷部３は、搬送部２により搬送される用紙Ｐにインクを吐出して画像を印刷する。印刷部３は、インクジェットヘッド２１Ｋ，２１Ｃ，２１Ｍ，２１Ｙを備える。なお、インクジェットヘッド２１Ｋ，２１Ｃ，２１Ｍ，２１Ｙにおけるアルファベットの添え字（Ｋ，Ｃ，Ｍ，Ｙ）を省略して総括的に表記することがある。
【００２３】
インクジェットヘッド２１Ｋ，２１Ｃ，２１Ｍ，２１Ｙは、それぞれブラック（Ｋ）、シアン（Ｃ）、マゼンタ（Ｍ）、イエロー（Ｙ）のインクを吐出する。インクジェットヘッド２１Ｋ，２１Ｃ，２１Ｍ，２１Ｙは、搬送部２の上方において、左右方向（副走査方向）に間隔を空けて並列配置されている。
【００２４】
インクジェットヘッド２１は、前後方向（主走査方向）に沿って配置された複数のノズル（図示せず）を有し、ノズルからインクを吐出する。インクジェットヘッド２１は、１つのノズルから１つの画素に対して複数のインク滴を吐出可能なマルチドロップ方式のものであり、インク滴の数（ドロップ数）により濃度を表現する階調印刷を行う。
【００２５】
制御部４は、インクジェット印刷装置１全体の動作を制御する。制御部４は、搬送制御部３１と、画像処理部３２と、ヘッド制御部３３とを備える。制御部４の各部は、ＣＰＵ、ＲＡＭ、ＲＯＭ、ハードディスク等によってソフトウェア的またはハードウェア的に実現できる。
【００２６】
搬送制御部３１は、搬送部２を駆動させて用紙Ｐを搬送させる。
【００２７】
画像処理部３２は、パーソナルコンピュータ等の外部装置から送信されたＰＤＬ（Page Description Language）形式の印刷ジョブデータを処理して、インクジェットヘッド２１Ｋ，２１Ｃ，２１Ｍ，２１Ｙに対応する各色のドロップデータを生成する。各色のドロップデータは、各色の画素ごとのインクのドロップ数を示すデータである。
【００２８】
画像処理部３２は、ＲＩＰ（Raster Image Processor）処理部４１と、バーコード検出部４２と、色変換部４３と、ドロップデータ生成部４４とを備える。
【００２９】
ＲＩＰ処理部４１は、印刷ジョブデータをＲＩＰ処理して、ＲＧＢ形式の画像データを生成する。
【００３０】
バーコード検出部４２は、印刷ジョブデータに含まれるバーコード領域情報に基づき、画像データにおける黒のバーコード画像を検出する。バーコード領域情報は、印刷ジョブデータを生成した外部装置において、ユーザが黒のバーコード画像として指定した領域を示す情報である。
【００３１】
色変換部４３は、ＲＩＰ処理部４１により生成されたＲＧＢ形式の画像データを、ＣＭＹＫ形式の画像データに変換する。この色変換は、あらかじめＲＧＢ値とＣＭＹＫ値との対応関係が記録されたテーブルを用いて行うことができる。
【００３２】
ドロップデータ生成部４４は、ＣＭＹＫ形式の画像データをハーフトーン処理して、シアン、マゼンタ、イエロー、ブラックの各色のドロップデータを生成する。ハーフトーン処理としては、誤差拡散処理やディザマスク処理を適用できる。ドロップデータ生成部４４は、画像データにおける黒のバーコード画像については、シアン、マゼンタ、イエローのインクを重ねて黒で印刷するよう各色のドロップデータを生成する。
【００３３】
ヘッド制御部３３は、ドロップデータ生成部４４で生成された各色のドロップデータに基づき、インクジェットヘッド２１Ｋ，２１Ｃ，２１Ｍ，２１Ｙを駆動させてノズルからインクを吐出させる。ヘッド制御部３３は、黒のバーコード画像を印刷する際には、シアン、マゼンタ、イエローのうち、イエローのインクをバーの幅方向（横方向）における一方側に１画素分ずらして吐出するよう制御する。
【００３４】
次に、インクジェット印刷装置１において黒のバーコード画像を含む画像データに基づく印刷を行う際の動作について、図３のフローチャートを参照して説明する。
【００３５】
図３のフローチャートの処理は、インクジェット印刷装置１が、黒のバーコード画像を含む画像をインクジェット印刷装置１に印刷させるための印刷ジョブデータを受信することにより開始となる。
【００３６】
図３のステップＳ１において、画像処理部３２のＲＩＰ処理部４１は、印刷ジョブデータをＲＩＰ処理して、ＲＧＢ形式の画像データを生成する。
【００３７】
次いで、ステップＳ２において、バーコード検出部４２は、ＲＩＰ処理部４１によるＲＩＰ処理で得られたバーコード領域情報に基づき、画像データにおける黒のバーコード画像を検出する。
【００３８】
次いで、ステップＳ３において、色変換部４３は、ＲＩＰ処理部４１により生成されたＲＧＢ形式の画像データを、ＣＭＹＫ形式の画像データに変換する。
【００３９】
次いで、ステップＳ４において、ドロップデータ生成部４４は、ＣＭＹＫ形式の画像データをハーフトーン処理して、シアン、マゼンタ、イエロー、ブラックの各色のドロップデータを生成する。ここで、ドロップデータ生成部４４は、バーコード検出部４２で検出された黒のバーコード画像については、シアン、マゼンタ、イエローのインクを重ねて黒で印刷するよう各色のドロップデータを生成する。
【００４０】
次いで、ステップＳ５において、ヘッド制御部３３は、ドロップデータ生成部４４で生成された各色のドロップデータに基づき、インクジェットヘッド２１Ｋ，２１Ｃ，２１Ｍ，２１Ｙを駆動させて、搬送部２により搬送される用紙Ｐへインクを吐出させる。ここで、ヘッド制御部３３は、黒のバーコード画像を印刷時する際には、シアン、マゼンタ、イエローのうち、イエローのインクをバーの幅方向における一方側に１画素分ずらして吐出させる。
【００４１】
インクジェットヘッド２１Ｋ，２１Ｃ，２１Ｍ，２１Ｙから吐出されたインクにより、用紙Ｐに画像が印刷される。これにより、一連の動作が終了となる。
【００４２】
上述した動作により印刷されたバーコード画像のドットイメージを図４に示す。図４では、形成しようとするバーコードの一部である、３画素幅のバー５１および１画素幅のバー５２におけるドットイメージを示している。
【００４３】
上述のように、インクジェット印刷装置１では、黒のバーコード画像の印刷において、イエローインクは、バーの幅方向（横方向）における一方側に１画素分ずらして吐出される。
【００４４】
これにより、図４に示すように、バー５１，５２に対して、イエローインクによるドット６１が、幅方向における一方側（図４では左側）に１画素分ずれて形成される。また、３画素幅のバー５１の右端の１画素幅分の各画素は、シアンインクとマゼンタインクとによるドット６２により形成される。バー５１の左側の２画素幅分の各画素は、シアンインク、マゼンタインク、およびイエローインクによる黒色のドット６３により形成される。また、１画素幅のバー５２の各画素は、シアンインクとマゼンタインクとによるドット６２により形成される。
【００４５】
ここで、バーコードリーダは、光源から光をバーコードの印刷面に照射し、バーコードの印刷面からの反射光を受光することによりバーコードを読み取る。一般に、黒のバーコードを読み取るためのバーコードリーダの光源としては、赤色の光を発する赤色ＬＥＤが使用されている。
【００４６】
イエローは、赤色の光を吸収しない色であるため、イエローのドット６１は、バーコードリーダには白（バーコードの印刷面の地の色）として認識される。また、シアンインクとマゼンタインクとによるドット６２は紫色となるが、紫色は赤色の光を吸収する色である。このため、ドット６２は、バーコードリーダには黒として認識される。
【００４７】
したがって、図４の最下段に示すように、バーコードリーダには、ドット６１は認識されず、ドット６２，６３により形成された部分がバー５１，５２として認識される。
【００４８】
ドット６２，６３が滲みのない理想的なドットであれば、バー５１，５２は規定の幅となるよう形成される。しかし、実際には、インクの滲みのため、ドット６２，６３は理想的なドットよりも大きくなる。このため、バー５１，５２は規定の幅より太くなる。
【００４９】
これに対し、複数画素幅のバー５１では、右端の１画素幅分の各画素に対しては、イエローインクが吐出されていないため、右端部の滲みが抑えられている。また、１画素幅のバー５２では、各画素に対してイエローインクが吐出されていないため、滲みが抑えられている。これにより、バー５１，５２の太りが抑えられている。このため、バー５１，５２の間のスペース５３の幅の縮小量も抑えられている。この結果、バーコードリーダによるバーコードの読取精度の低下が抑えられる。
【００５０】
ここで、比較例として、本実施の形態とは異なり、イエローインクの吐出位置をずらさずに、全画素を、シアンインク、マゼンタインク、およびイエローインクを重ねて印刷した場合のバーコード画像のドットイメージを図５に示す。
【００５１】
この場合、図５に示すように、バー５１，５２の各画素が、シアンインク、マゼンタインク、およびイエローインクによる黒色のドット６３により形成される。
【００５２】
このため、この場合、本実施の形態による図４の例と比べて、バー５１，５２の太りの度合いが大きくなっている。また、バー５１，５２の間のスペース５３の幅の縮小量も大きくなっている。したがって、この場合、図４の例と比べて、バーコードリーダによるバーコードの読取精度が低くなる。
【００５３】
以上説明したように、インクジェット印刷装置１では、制御部４は、画像データにおける黒のバーコード画像を、シアン、マゼンタ、イエローのインクにより形成される黒で印刷するよう印刷部３を制御する。この際、制御部４は、シアン、マゼンタ、イエローのうち、イエローインクをバーの幅方向における一方側に１画素分ずらして吐出するよう印刷部３を制御する。換言すれば、制御部４は、バーコード画像における複数画素幅のバーの幅方向における一方の端の各画素、および１画素幅のバーの各画素に対してはイエローインクの吐出を省略するよう印刷部３を制御する。
【００５４】
これにより、バーコード画像の各画素に対して、少なくともシアンインクおよびマゼンタインクを吐出するよう制御されるので、いずれかの色のインクの不吐出等の吐出不良が発生しても、印刷されるバーコードの読取精度の低下を抑えることが可能である。
【００５５】
ここで、シアン、マゼンタはともに、黒のバーコードを読み取るためのバーコードリーダが発する赤色の光を吸収する色であり、バーコードリーダに黒として認識される。このため、例えば、イエローインクの吐出が省略される部分に対して、シアンインクまたはマゼンタインクの吐出不良により、いずれか一方が吐出されなくても、他方が吐出されれば、印刷されるバーコードの読取精度の低下を抑えることが可能である。
【００５６】
また、複数画素幅のバーの幅方向における一方の端の各画素、および１画素幅のバーの各画素に対してはイエローのインクが吐出されないことで、インクの滲みによるバーの太りが抑えられる。このため、バーの太りによるバーコードの読取精度の低下を抑えることができる。
【００５７】
したがって、インクジェット印刷装置１によれば、印刷するバーコードの読取精度の低下を抑えることができる。
【００５８】
また、インクジェット印刷装置１では、バーコードの印刷にブラックインクを使用しないことで、例えば、圧着紙にバーコードを印刷する場合におけるバーコードの印刷面に圧着する面への転写汚れが抑えられる。
【００５９】
なお、上述した実施の形態では、イエローインクをバーの幅方向における一方側に１画素分ずらして吐出することで、複数画素幅のバーの幅方向における一方の端の各画素、および１画素幅のバーの各画素に対するイエローインクの吐出を省略するようにした。しかし、イエローインクを１画素分ずらして吐出することなく、単純に、複数画素幅のバーの幅方向における一方の端の各画素、および１画素幅のバーの各画素に対するイエローインクの吐出を省略してもよい。
【００６０】
また、バーコード画像のすべての画素に対するイエローインクの吐出を省略するようにしてもよい。すなわち、制御部４は、画像データにおける黒のバーコード画像を印刷する際、バーコード画像をシアンインクとマゼンタインクとによって印刷するよう印刷部３を制御してもよい。
【００６１】
この場合でも、印刷されたバーコードは、黒のバーコードを読み取るためのバーコードリーダで読取可能である。そして、シアンインクまたはマゼンタインクの吐出不良により、いずれか一方が吐出されなくても、他方が吐出されれば、印刷されるバーコードの読取精度の低下を抑えることが可能である。また、この場合、バーコード画像の印刷のために吐出されるインクがシアンインクおよびマゼンタインクのみであるため、インクの滲みによるバーの太りは抑えられる。このため、バーの太りによるバーコードの読取精度の低下を抑えることができる。したがって、この場合でも、印刷するバーコードの読取精度の低下を抑えることができる。
【００６２】
本発明は上記実施の形態そのままに限定されるものではなく、実施段階ではその要旨を逸脱しない範囲で構成要素を変形して具体化できる。また、上記実施の形態に開示されている複数の構成要素の適宜な組み合せにより、種々の発明を形成できる。例えば、実施の形態に示される全構成要素から幾つかの構成要素を削除してもよい。
【符号の説明】
【００６３】
１  インクジェット印刷装置
２  搬送部
３  印刷部
４  制御部
２１Ｋ，２１Ｃ，２１Ｍ，２１Ｙ  インクジェットヘッド
３１  搬送制御部
３２  画像処理部
３３  ヘッド制御部
４１  ＲＩＰ処理部
４２  バーコード検出部
４３  色変換部
４４  ドロップデータ生成部
【図１】
2018069603.tif 000003
【図２】
2018069603.tif 000004
【図３】
2018069603.tif 000005
【図４】
2018069603.tif 000006
【図５】
2018069603.tif 000007